(57)【特許請求の範囲】
【請求項１】
第１端及び第２端を有する金属管と、
前記金属管の第１端側に配置され、前記金属管の前記第２端から入射する電磁波を測定可能な測定部と、
音を出力する音出力部と、
前記金属管と前記音出力部との間に設けられ、第１の開口部及び第２の開口部を備える基板と、
前記音出力部から出力される音の前記金属管の前記第１端までの第１の経路と第２の経路と、
を備え、
前記第１の経路と前記第２の経路とは長さが異なるとともに、
前記第１の経路は、前記第１の開口部を介した経路であり、
前記第２の経路は、前記第２の開口部を介した経路である、
測定装置。
【請求項２】
前記音出力部から出力された音の前記金属管の前記第１端における音響特性が、前記金属管の共振周波数と異なる周波数において、前記共振周波数の振幅よりも小さい振幅を有するように、前記第１の経路と前記第２の経路の長さの差が設定されている、請求項１に記載の測定装置。
【請求項３】
前記第１の経路と、前記第２の経路と、前記金属管の前記第１端から前記第２端までの長さとが、下式（１）により表される関係を満たす、請求項１に記載の測定装置。
［数１］
｜Ｄ１−Ｄ２｜＝Ｌ（ｎ＋１／２）      （１）
ただし、Ｄ１は前記第１の経路の長さを示し、Ｄ２は前記第２の経路の長さを示し、Ｌは前記金属管の長さを示し、ｎは０以上の整数である。
【請求項４】
前記第１の経路及び前記第２の経路の少なくとも一方を形成するダクトをさらに備える、請求項１に記載の測定装置。
【請求項５】
前記電磁波は赤外線である、請求項１に記載の測定装置。
【請求項６】
前記金属管は、内面が高反射率の円筒形状の部材である、請求項１に記載の測定装置。
【請求項７】
血流を測定可能な血流測定装置として構成される第１測定部と、
請求項１に記載の測定装置と、
を備える、測定器具。
【請求項８】
請求項１に記載の測定装置と、
前記測定装置の動作を制御する制御装置と、
前記測定装置で測定された電磁波の情報を受信し、前記受信した情報を記憶部に格納された情報に基づいて解析し、前記解析した情報を前記制御装置に送信する、前記測定装置とネットワークを介して接続されたサーバと、
を備える測定システム。
【請求項９】
前記サーバは、平均体温及び個人平均体温のうちの少なくとも一方を格納し、前記受信した情報と前記平均体温及び個人平均体温のうちの少なくとも一方とに基づいて、前記解析した情報を作成する、請求項８に記載の測定システム。
【請求項１０】
前記制御装置の記憶部は、血流を測定可能な血流測定装置として構成される第１測定部と請求項１に記載の測定装置とを備える測定器具に出力させる音声情報として、少なくとも、健康の状態示す健康情報、音楽に関する音楽情報及び前記測定装置の周囲の環境情報のうちの少なくともいずれか１つを記憶する、請求項８に記載の測定システム。
【請求項１１】
請求項１に記載の測定装置と、
前記測定装置の動作を制御するスマートフォンと、
前記測定装置で測定された電磁波の情報を受信し、前記受信した情報を記憶部に格納された情報に基づいて解析し、解析した結果の解析情報を前記測定装置の動作を制御する制御装置に送信する、前記測定装置とネットワークを介して接続されたサーバと、
を備える測定システム。
【発明の詳細な説明】
【技術分野】
【０００１】
本発明は、測定装置、測定器具及び測定システムに関する。
【背景技術】
【０００２】
従来、体温を測定可能なイヤホンが知られている。例えば、特許文献１には、体温センサを備えるカナル型のイヤホンが開示されている。
【先行技術文献】
【特許文献】
【０００３】
【特許文献１】特開２０１５−０７０５１４号公報
【発明の概要】
【発明が解決しようとする課題】
【０００４】
しかしながら、従来公知の体温を測定可能なイヤホンでは、体温の検出精度を向上させつつ、良好な音響特性を得ることは困難であった。
【０００５】
例えば、特許文献１に開示されたイヤホンでは、鼓膜に対向する音筒部の開口の面の略中央に体温センサが設けられている。この場合、体温センサは、鼓膜以外の、例えば外耳道等の壁面から放射される赤外線エネルギーを吸収して、体温を測定する可能性がある。しかしながら、外耳道等の壁面は、鼓膜よりも外気の影響を受けやすい。そのため、体温センサが外耳道等の壁面から放射される赤外線エネルギーに基づいて体温を測定すると、被検者の体温を正確に測定しにくくなる。
【０００６】
本発明の目的は、体温の検出精度を向上させつつ、良好な音響特性を得やすくなる測定装置、測定器具及び測定システムを提供することにある。
【課題を解決するための手段】
【０００７】
測定装置の一態様は、金属管と、測定部と、基板と、音出力部とを備える。前記金属管は、第１端及び第２端を有する。前記測定部は、前記金属管の第１端側に配置され、前記金属管の前記第２端から入射する電磁波を測定可能である。前記音出力部は、音を出力する。前記基板は、前記金属管と前記音出力部との間に設けられ、第１の開口部及び第２の開口部を備える。前記測定装置は、前記音出力部から出力される音の前記金属管の前記第１端までの第１の経路と第２の経路とを備える。前記第１の経路と前記第２の経路とは長さが異なる。前記第１の経路は、前記第１の開口部を介した経路であり、前記第２の経路は、前記第２の開口部を介した経路である。
【０００８】
測定器具の一態様は、血流を測定可能な血流測定装置として構成される第１測定部と、上記測定装置と、を備える。
【０００９】
測定システムの一態様は、測定装置と、前記測定装置の動作を制御する制御装置と、前記測定装置で測定された電磁波の情報を受信し、前記受信した情報を記憶部に格納された情報に基づいて解析し、前記解析した情報を前記制御装置に送信する、前記測定装置とネットワークを介して接続されたサーバと、を備える。
【発明の効果】
【００１４】
本開示によれば、体温の検出精度を向上させつつ、良好な音響特性を得やすくなる測定装置、測定器具及び測定システムを提供できる。
【図面の簡単な説明】
【００１５】
【図１】第１実施形態に係る測定装置の内部構造を示す概略図である。
【図２】音響特性の一例を示す図である。
【図３】図１の基板の上面図である。
【図４】測定器具と、制御装置との接続構成を示す概略図である。
【図５】図４の制御装置が備える機能ブロックの一例を示す図である。
【図６】制御装置の記憶部に格納される音データの概念図である。
【図７】図４の測定器具を用いた測定システムの構成の一例を示す概略図である。
【図８】図７のサーバの概略構成を示す機能ブロック図である。
【図９】図７の測定システムによる処理の一例を示すシーケンス図である。
【図１０】図７のサーバに格納されるデータの一例を示す構成図である。
【図１１】図７に示されるサーバによる体温情報の解析処理の一例を示すフローチャートである。
【図１２】第２実施形態に係る測定装置の内部構造を示す概略図である。
【図１３】第３実施形態に係る測定装置の内部構造を示す概略図である。
【図１４】図１３の測定装置を備える測定器具の外観を示す概略図である。
【図１５】図１４の測定器具のＡ−Ａ断面図である。
【図１６】第４実施形態に係る測定システムの構成の一例を示す図である。
【図１７】図１６のスマートフォンが備える機能ブロックの一例を示す図である。
【図１８】図１６に示されるスマートフォンの表示画面の概略図である。
【図１９】図１６の測定システムによる処理の一例を示すシーケンス図である。
【発明を実施するための形態】
【００１６】
以下、本開示の実施形態について、図面を参照して詳細に説明する。
【００１７】
（第１実施形態）
図１は、第１実施形態に係る測定装置１０の内部構造を示す概略図である。測定装置１０は、被検者が外耳道に挿入して使用する装置である。測定装置１０は、外形がカナル型イヤホンであってよい。測定装置１０は、被検者が耳に挿入した状態で、生体情報を測定する。生体情報は、後述する生体センサにより取得可能な情報であってよい。本明細書では、生体情報が被検者の体温であるとして、以下説明する。測定装置１０は、イヤホンとしても機能する。従って、被検者は、測定装置１０を耳に挿入した状態（以下「装着状態」ともいう）で、測定装置１０により体温を測定させながら、測定装置１０から出力される音を聞くことができる。
【００１８】
図１に一例として模式的に示すように、測定装置１０は、ホルダ１１と、イヤピース１２と、金属管１３と、基板１４と、測定部１５と、音出力部１６とを備える。
【００１９】
ホルダ１１は、測定装置１０が有する各種機構を保持及び保護する。ホルダ１１は、例えば樹脂等で構成されていてよい。測定装置１０が、音の出力を制御する外部の機器と、有線で接続される場合には、ホルダ１１から、外部の機器と接続するためのケーブルが延びていてよい。ホルダ１１とイヤピース１２とは結合されて、測定装置１０の外形を形成する。ホルダ１１は、基板１４を囲うように形成されている。
【００２０】
イヤピース１２は、図１の矢印で示す挿入方向に沿って、被検者の耳の外耳道に挿入される。すなわち、被検者は、イヤピース１２を外耳道に挿入することによって、測定装置１０を装着する。イヤピース１２は、例えばシリコン等の可撓性を有する部材により構成されていてよい。イヤピース１２が可撓性を有することにより、被検者が測定装置１０を外耳道に挿入しやすくなるとともに、測定装置１０の装着状態が維持されやすくなる。イヤピース１２は、例えば、図１に示す仮想的な軸Ａについて回転対象であってよい。軸Ａの向きは、矢印で示される挿入方向と一致してよい。イヤピース１２は、挿入方向からみた中央部に、円柱形状の空間を備える。この空間に金属管１３が保持される。
【００２１】
金属管１３は、軸Ａについて回転対称な円筒形状の金属性の管である。金属管１３は、測定装置１０の装着状態において、被検者から放射される電磁波の導波管として機能する。電磁波は、例えば赤外線であってよい。赤外線は、例えば波長が１〜２０μｍの範囲の電磁波をいう。本明細書において、以下、電磁波は赤外線であるとして説明する。
【００２２】
金属管１３の内面には、内面の放射率が小さくなるように、例えば金メッキが施される。金属管１３は、内面が赤外線に対する放射率の低い素材（例えば銀）により構成されてよい。金属管１３の長さＬは、金属管１３の直径Ｄよりも所定以上長い。例えば、長さＬは、直径Ｄの３倍以上の長さであってよい。金属管１３は、第１端１３ａと、第２端１３ｂとを有する。測定装置１０において、第１端１３ａがホルダ１１側に位置し、第２端１３ｂが測定装置１０の外部側に位置するように、金属管１３が配置される。つまり、第２端１３ｂは、測定装置１０の装着状態において、赤外線の入射方向に向いている。
【００２３】
基板１４は、例えば図１に示すように、ホルダ１１内に保持される。基板１４は、例えば軸Ａに直交する。基板１４は、金属管１３に対向する第１の面１４ａと、その反対側の第２の面１４ｂとを有する。基板１４は、少なくとも２つの開口部を有する。本実施形態では、基板１４は、第１の開口部１７ａと第２の開口部１７ｂとの２つの開口部を有するとして、以下説明する。第１の開口部１７ａと、第２の開口部１７ｂとは、基板１４において、基板１４と軸Ａとの交点Ｐからの距離がそれぞれ異なる位置に設けられる。
【００２４】
開口部１７ａ及び開口部１７ｂの形状は、円形、楕円形、任意の多角形又はこれらの任意の組合せの形状でよい。本実施形態では、開口部１７ａ及び開口部１７ｂの形状は、円形である。
【００２５】
測定部１５は、被検者から放射される赤外線を取得し、取得した赤外線の光電変換信号を、体温に関する生体情報として、後述する制御装置５００に出力する。制御装置５００は、測定部１５が出力した光電変換信号に基づいて、被検者の体温を測定する。測定部１５は、第１の面１４ａに配置される。測定部１５は、第１の面１４ａにおいて、交点Ｐの位置に配置されてよい。
【００２６】
音出力部１６は、入力される音信号に基づいて音を出力する。音信号は、例えば、有線又は無線により、例えば外部の機器から音出力部１６に入力される。音出力部１６は、例えばダイナミックスピーカにより構成されていてよい。音出力部１６は、基板１４の第２の面１４ｂ側において、例えばホルダ１１内に設けられた空間に配置される。音出力部１６は、例えば軸Ａ上に設けられる。音出力部１６から出力された音は、第１の開口部１７ａ及び第２の開口部１７ｂと、金属管１３とを介して、第２端１３ｂから測定装置１０の外部に出力される。被検者は、測定装置１０の装着状態において、このようにして出力された音を聞くことができる。
【００２７】
本実施形態において、音出力部１６が出力した音は、第１の経路及び第２の経路という２つの経路で、金属管１３の第１端１３ａに到達する。第１の経路は、第１の開口部１７ａを介して、音出力部１６から第１端１３ａに至る経路である。第２の経路は、第２の開口部１７ｂを介して、音出力部１６から第１端１３ａに至る経路である。
【００２８】
ここで、測定装置１０による体温の測定の詳細について説明する。測定装置１０は、測定部１５において、被検者から放射される赤外線を取得する。被検者から放射される赤外線は、第２端１３ｂから金属管１３内に入射して、測定部１５により受光される。本実施形態では、金属管１３の長さＬは直径Ｄよりも所定以上長く、且つ測定部１５は金属管１３の奥側の１３ａ側に配置される。
【００２９】
仮に、金属管１３の長さＬが直径Ｄよりも所定未満の長さである場合、又は金属管１３の第２端１３ｂ側に測定部１５が配置される場合、測定部１５は、外耳道の壁面から放射される赤外線を受光しうる。外耳道の壁面は、外気の影響を受けやすい。そのため、この場合に測定部１５が受光する赤外線は、必ずしも被検者の体温に基づくものではなく、外気温の影響を受けた体温に基づくものとなり得る。そのため、被検者の体温を正確に測定しにくい。
【００３０】
これに対し、本実施形態に係る測定装置１０によれば、金属管１３の長さＬが直径Ｄよりも所定未満の長さであるため、又は金属管１３の第２端１３ｂ側に測定部１５が配置される場合と比較して、測定部１５が受光する赤外線の指向性を高めることができる。これにより、測定部１５は、測定装置１０の装着状態における被検者の耳の特定の部位における赤外線を受光できる。
【００３１】
より具体的に説明すると、例えば、測定部１５は被検者の鼓膜から放射される赤外線を受光できる。鼓膜は、耳の奥に存在するため、外気の影響を受けにくい。そのため、鼓膜から放射される赤外線を受光することにより、測定装置１０は、被検者の体温を正確に測定しやすくなる。
【００３２】
次に、測定装置１０から出力される音について説明する。
【００３３】
音出力部１６から出力された音は、金属管１３の内部を通って、測定装置１０の外部に出力される。ここで、上述のように、本実施形態において、金属管１３は、長さＬが直径Ｄよりも所定以上長い。このような金属管１３は、所定の周波数（共振周波数）において共鳴により振幅が増幅されるという音響特性を持つ。
【００３４】
例えば、金属管１３は、図２において実線で示すように、所定の周波数ｆ１、ｆ２、ｆ３、ｆ４及びｆ５において、他の周波数域よりも振幅が高いという音響特性を有する。そのため、金属管１３（第１端１３ａ）に入力される音の特性が一定である場合には、金属管１３の音響特性により、所定の周波数ｆ１、ｆ２、ｆ３、ｆ４及びｆ５の音が他の周波数域の音よりも増幅されて第２端１３ｂから出力される。すなわち、この場合、所定の周波数ｆ１、ｆ２、ｆ３、ｆ４及びｆ５において、他の周波数帯よりも強い音が出力される。周波数ごとの音圧の差が大きいと、音を聞く被検者にとって不都合である。
【００３５】
本実施形態に係る測定装置１０では、金属管１３（第１端１３ａ）に入力される音の音響特性を、所定の音響特性（以下「目標音響特性」ともいう）とすることにより、金属管１３（第２端１３ｂ）から出力される音の音響特性を向上させることができる。本明細書において、目標音響特性は、図２において破線で示すように、金属管１３の音響特性において増幅される周波数ｆ１、ｆ２、ｆ３、ｆ４及びｆ５において、他の周波数帯よりも振幅が小さい音響特性である。目標音響特性は、金属管１３と、基板１４に設けられる第１の開口部１７ａと第２の開口部１７ｂとの位置関係により実現される。図２の破線で示されるように、所定の周波数ｆ１、ｆ２、ｆ３、ｆ４及びｆ５において振幅が小さい音響特性を有する音が入力された場合、当該所定の周波数帯の音は、図２の実線で金属管１３の音響特性として示されるように、増幅される。その結果、金属管１３（第２端１３ｂ）からは、全周波数帯に亘って、周波数ごとの音圧差がより小さい特性の音が出力される。
【００３６】
金属管１３（第１端１３ａ）に入力される音の目標音響特性について、さらに説明する。
【００３７】
図３は、図１の基板１４の上面図であり、第１の面１４ａ側から見た図である。図３に示すように、第１の開口部１７ａと、第２の開口部１７ｂと、点Ｐとは、一直線上に設けられている。図３において、破線は、金属管１３を基板１４の第１の面１４ａに投影した線を示す。基板１４において、第１の開口部１７ａと、第２の開口部１７ｂとは、点Ｐからの距離がそれぞれ異なる位置に設けられる。すなわち、第１の開口部１７ａの中心と点Ｐとの距離をｄ１とし、第２の開口部１７ｂの中心と点Ｐとの距離をｄ２とすると、距離ｄ１と距離ｄ２とは、長さが異なる。図３に示す例では、ｄ１＞ｄ２である。
【００３８】
距離ｄ１と距離ｄ２とが異なることにより、音出力部１６から出力された音が金属管１３の第１端１３ａに到達するまでの距離は、第１の開口部１７ａを経由した第１の経路と、第２の開口部１７ｂを経由した第２の経路とで異なる。図１に示すように、音出力部１６から出力された音が通る経路の長さのうち、第１の経路の音出力部１６から第１端１３ａまでの距離をＤ１とする。音出力部１６から出力された音が通る経路の長さのうち、第２の経路の音出力部１６から第１端１３ａまでの距離をＤ２とする。図３を参照して説明したように、距離ｄ１と距離ｄ２とが異なるため、距離Ｄ１と距離Ｄ２とも異なる。図３に示したようにｄ１＞ｄ２の場合、Ｄ１＞Ｄ２となる。
【００３９】
音の性質（干渉）から、距離Ｄ１と距離Ｄ２との差ΔＤが音の波長の（ｎ＋１／２）倍の場合（ただしｎは０以上の整数）、第１の開口部１７ａを経由した音と第２の開口部１７ｂを経由した音とが弱め合う。ここで、金属管１３の音響特性において増幅される周波数のうち基本周波数をｆとし、基本周波数ｆにおける音の波長を基本波長λとする。すなわち、図２における周波数ｆ１、ｆ２、ｆ３、ｆ４及びｆ５は、ｍｆと表される（ただしｍは０以上の整数）。この場合、上述した音の性質から、ΔＤ＝λ（ｎ＋１／２）となる位置に第１の開口部１７ａ及び第２の開口部１７ｂが設けられることにより、所定の周波数ｆ１、ｆ２、ｆ３、ｆ４及びｆ５において振幅が小さいという、図２の破線で示した目標音響特性が得られる。
【００４０】
基本波長λは、金属管１３の長さＬにより定まる。従って、ΔＤ（＝｜Ｄ１−Ｄ２｜）＝Ｌ（ｎ＋１／２）となる位置に、第１の開口部１７ａ及び第２の開口部１７ｂが設けられることにより、目標音響特性が得られる。本実施形態では、第１の開口部１７ａ及び第２の開口部１７ｂは、ΔＤ＝Ｌ（ｎ＋１／２）が満たされるように、基板１４に設けられる。これにより、第１端１３ａには、図２の破線で示す目標音響特性を有する音が入力される。その結果、第２端１３ｂから、全周波数帯に亘って、周波数ごとの音圧差がより小さい特性の音が出力される。このようにして、本実施形態に係る測定装置１０によれば、音響特性を向上させることができる。
【００４１】
測定装置１０は、測定器具に搭載することができる。図４は、測定器具１００と、制御装置５００との接続構成を示す概略図である。図４に示されるように、制御装置５００は、測定器具１００と、コード１０１０により接続される。制御装置５００と測定器具１００とは、コード１０１０を介して情報や電力の送受信を行う。なお、制御装置５００と測定器具１００とは、有線であるコード１０１０以外にも、無線を介して情報や電力の送受信を行ってもよい。この無線として、例えばBluetooth（登録商標）、赤外線、ＮＦＣ（Near Field Radio Communication）等任意のものを利用することができる。また、測定器具１００は、電池等のバッテリを備えてもよい。
【００４２】
測定器具１００は、例えばヘッドバンド型のイヤホンとして構成されることができる。測定器具１００は、例えば被検者の頭部に装着可能であってよい。測定器具１００は、耳への挿入部に、測定装置１０を含んで構成されていてよい。
【００４３】
次に、図５を参照して、図４に示される制御装置５００の内部構成について説明する。図５は、図４に示される制御装置５００の機能ブロックの一例を示す図である。制御装置５００は、測定装置１０における音の出力を制御する。
【００４４】
制御装置５００は、機能部として、測定部１０６７と、制御部１０５４と、記憶部１０５５と、通信部１０５６と、報知部１０５７と、駆動部１０５８と、入力部１０６５と、電源部１０６６とを備える。
【００４５】
制御部１０５４は、制御装置５００の各機能ブロックをはじめとして、制御装置５００の全体を制御及び管理する少なくとも１つのプロセッサ１０５４ａを含む。制御部１０５４は、制御手順を規定したプログラムを実行するＣＰＵ（Central Processing Unit）等の少なくとも１つのプロセッサ１０５４ａを含んで構成され、その機能を実現する。このようなプログラムは、例えば記憶部１０５５、又は制御装置５００に接続された外部の記憶媒体等に格納される。
【００４６】
種々の実施形態によれば、少なくとも１つのプロセッサ１０５４ａは、単一の集積回路（ＩＣ）として、又は複数の通信可能に接続された集積回路ＩＣ及び／又はディスクリート回路（Discrete Circuits）として実行されてもよい。少なくとも１つのプロセッサ１０５４ａは、種々の既知の技術に従って実行されることが可能である。
【００４７】
一実施形態において、プロセッサ１０５４ａは、例えば、関連するメモリに記憶された指示を実行することによって１以上のデータ計算手続又は処理を実行するように構成された１以上の回路又はユニットを含む。他の実施形態において、プロセッサ１０５４ａは、１以上のデータ計算手続き又は処理を実行するように構成されたファームウェア（例えば、ディスクリートロジックコンポーネント）であってもよい。
【００４８】
種々の実施形態によれば、プロセッサ１０５４ａは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組合せを含み、以下に説明される制御部１０５４としての機能を実行してもよい。
【００４９】
制御部１０５４は、測定装置１０の音出力部１６からの音の出力を制御する。また、制御部１０５４は、測定装置１０の測定部１５が測定した生体情報に基づき、被検者の体温を測定（算出）する。
【００５０】
記憶部１０５５は、半導体メモリ又は磁気メモリ等で構成されることができる。記憶部１０５５は、各種情報及び／又は制御装置５００を動作させるためのプログラム等を記憶する。記憶部１０５５は、ワークメモリとしても機能してもよい。記憶部１０５５は、例えば、制御部１０５４が算出した体温を記憶してよい。
【００５１】
記憶部１０５５には、測定器具１００の音出力部１６から出力される音楽情報その他の音情報が格納されている。制御部１０５４は、ユーザの入力操作等に基づいて、記憶部１０５５から所定の音情報を抽出し、駆動部１０５８を介して測定器具１００の音出力部１６に出力する。音出力部１６は、受信した音情報に基づいて、音を出力する。
【００５２】
ここで、記憶部１０５５に格納される音データについて、図６を参照して説明する。図６は、記憶部１０５５に格納される音データの概念図である。
【００５３】
図６に示されるように、記憶部１０５５には、健康情報６００、音楽情報６３０、環境情報６５０の音データが含まれる。健康情報６００は、例えば、体温が平均より高い旨を報知するための情報６０１や、体温が平均より低い旨を報知するための情報６０３が含まれる。ここでいう平均は、例えば、一般的な成人の平均であってもよく、被検者の平均であってもよい。なお、本開示において、健康情報６００は図６に示されるものに限定されるものではなく、その他任意の音情報でよい。
【００５４】
音楽情報６３０は、例えば、音楽の情報６３１，６３３，６３５，６３７，６３９，６４１が含まれる。なお、本開示において、音楽の情報の数は６個に限定されるものではなく任意の数でよい。
【００５５】
環境情報６５０は、例えば、測定器具１００の周囲環境に関する音情報が含まれる。環境情報６５０は、例えば所定時間後に気温が上昇する旨を報知する情報６５１や、所定時間後に、気温が下降する旨を報知する情報６５３や、所定時間後に、雨が降る旨を報知する情報６５５等が含まれる。なお、本開示において、環境情報６５０は、図６に示されるものに限定されるものではなく、雪が降る旨、霧が出る旨の情報や、交通渋滞、交通事故等の道路状態に関する情報や、電車やバスや飛行機等の運行状況に関する情報等、その他任意の環境情報でよい。
【００５６】
通信部１０５６は、ネットワークを介して外部の装置と通信を行うことにより、各種情報の送受信を行う。通信部１０５６が通信を行う外部の装置は、例えば、サーバ、ＰＣ（Personal Computer）、携帯電話、スマートフォン、タブレット、腕時計、マッサージ機器その他の機器若しくはこれらの任意の組合せであってよい。通信部１０５６は、無線、有線、又は無線と有線の組合せによるネットワークを用いて外部の装置と情報の送受信を行う。通信部１０５６は、Bluetooth（登録商標）、赤外線、ＮＦＣ、無線ＬＡＮ（Local Area Network）、有線ＬＡＮ若しくはその他任意の通信媒体又はこれらの任意の組合せを用いることができる。通信部１０５６は、測定器具１００との通信により、測定部１５が測定した、体温に関する生体情報を取得する。
【００５７】
報知部１０５７は、音、光、画像、振動その他の適宜な方法で情報を報知する。報知部１０５７は、例えば、液晶ディスプレイ、スピーカ、ＬＥＤ（Light Emitting Diode）、バイブレータ若しくはその他の報知部材又はこれらの任意の組合せにより構成されてよい。報知部１０５７は、例えば測定された体温に関する情報を報知してよい。
【００５８】
駆動部１０５８は、制御部１０５４からの制御信号に基づいて、音出力部１６を駆動するための信号を出力する。
【００５９】
入力部１０６５は、制御装置を使用する被検者からの操作入力を受け付けるものであり、例えば、操作ボタン（操作キー）から構成される。入力部１０６５をタッチパネルにより構成し、表示デバイスの一部に被検者からの操作入力を受け付ける操作キーを表示して、被検者によるタッチ操作入力を受け付けてもよい。
【００６０】
電源部１０６６は、制御装置５００が各種動作を行うための電力を供給するバッテリである。
【００６１】
測定部１０６７は、周囲環境等を測定する。本開示では、測定部１０６７は所定箇所の温度を測定する温度計である。本開示では、所定箇所が人体の部位であるため、この温度は体温となり、温度計は体温計となる。測定部１０６７は、例えば、体温計、温度計、湿度計若しくは高度計その他任意の測定器具又はこれらの任意の組合せでよい。測定部１０６７は、制御装置５００が配置されている環境における、体温、温度、湿度、高度その他のデータを測定できる。
【００６２】
制御部１０５４は、通信部１０５６を介して、制御装置５００とネットワークにより接続された天気情報サーバから、体温の測定日時の天気情報を取得し、サーバ１０００に送信してもよい。
【００６３】
次に、図４に示される測定器具１００を用いた測定システム１００００について図７を参照して説明する。図７に示されるように、測定器具１００と接続された制御装置５００が、ネットワーク２０００を介してサーバ１０００と接続されている。測定システム１００００において、サーバ１０００は、ＰＣ、携帯電話、スマートフォン、タブレット、腕時計、マッサージ機器その他の機器若しくはこれらの任意の組み合わせであってよい。
【００６４】
本開示では、制御装置５００を介して測定器具１００がネットワーク２０００と接続されサーバ１０００と情報の送受信を行う。測定器具１００が直接ネットワーク２０００と接続され、サーバ１０００と情報の送受信を行ってもよい。
【００６５】
ネットワーク２０００は、本開示ではインターネットであってよい。ただし、ネットワーク２０００はこれに限定されず、適宜のネットワークであってよい。また、ネットワーク２０００は、無線、有線又はこれらの組合せであってよい。すなわち、制御装置５００とサーバ１０００とは、有線若しくは無線又はこれらの任意の組合せにより構成されたネットワーク２０００により接続され情報の送受信が行われてよい。また、本開示において、サーバ１０００及びネットワーク２０００は１つに限定されるものではなく、それぞれ少なくとも１以上でよい。
【００６６】
（サーバの構成について）
図７に示されるサーバ１０００の内部構成について、図８を用いて説明する。図８は、図７のサーバ１０００の概略構成を示す機能ブロック図である。サーバ１０００は、通信部１００１と、制御部１００２と、記憶部１００３とを備える。
【００６７】
通信部１００１は、ネットワーク２０００を介して制御装置５００と通信を行うことにより、各種情報の送受信を行う。通信部１００１は、無線、有線、又は無線と有線との組合せによるネットワーク２０００を用いて制御装置５００と情報の送受信を行う。通信部１００１は、例えばBluetooth（登録商標）、赤外線、ＮＦＣ、無線ＬＡＮ、有線ＬＡＮ、ＷＡＮ（Wide Area Network）、インターネット若しくはその他任意の通信媒体又はこれらの任意の組合せにより通信を行うことができる。本実施形態では、通信部１００１は、インターネットを用いて制御装置５００と通信を行うとする。
【００６８】
制御部１００２は、サーバ１０００の各機能ブロックをはじめとして、サーバ１０００の全体を制御及び管理する少なくとも１つのプロセッサ１００２ａを含む。制御部１００２は、制御手順を規定したプログラムを実行するＣＰＵ等の少なくとも１つのプロセッサ１００２ａを含んで構成され、その機能を実現する。このようなプログラムは、例えば記憶部１００３、又はサーバ１０００に接続された外部の記憶媒体等に格納される。
【００６９】
種々の実施形態によれば、少なくとも１つのプロセッサ１００２ａは、単一の集積回路（ＩＣ）として、又は複数の通信可能に接続された集積回路ＩＣ及び／又はディスクリート回路として実行されてもよい。少なくとも１つのプロセッサ１００２ａは、種々の既知の技術に従って実行されることが可能である。
【００７０】
一実施形態において、プロセッサ１００２ａは、例えば、関連するメモリに記憶された指示を実行することによって１以上のデータ計算手続又は処理を実行するように構成された１以上の回路又はユニットを含む。他の実施形態において、プロセッサ１００２ａは、１以上のデータ計算手続き又は処理を実行するように構成されたファームウェア（例えば、ディスクリートロジックコンポーネント）であってもよい。
【００７１】
種々の実施形態によれば、プロセッサ１００２ａは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組合せを含み、制御部１００２としての機能を実行してもよい。
【００７２】
記憶部１００３は、半導体メモリ又は磁気メモリ等で構成されることができる。記憶部１００３は、各種情報及び／又はサーバ１０００を動作させるためのプログラム等を記憶する。記憶部１００３は、ワークメモリとしても機能してもよい。記憶部１００３は、例えば、サーバ１０００が通信部１００１から取得した各種情報を記憶してよい。
【００７３】
サーバ１０００は、制御装置５００から体温に関する情報を受信する。サーバ１０００は受信した情報を解析する。サーバ１０００は、解析結果に基づいて制御装置５００に解析結果を送信する。また、サーバ１０００は、ネットワーク２０００を介して、気温、天気、災害情報などその他の情報を受信することができる。
【００７４】
サーバ１０００は、制御装置５００から受信した情報を単体で、又はユーザの個人情報と関連付けて記憶部１００３に格納してもよい。サーバ１０００は、例えば、ユーザの所属する会社、政府、公共団体、医療機関、健康管理団体、保険会社等に管理されてもよい。
【００７５】
また、図７に示した例では、サーバ１０００が１つであるが、本開示はこれに限定されるものではなく、サーバ１０００は、１以上の任意の数であってもよい。この場合、複数のサーバ、により同じ処理が行われてもよいし、複数のサーバ１０００で、後述の図９に示される処理を分散して行ってもよいし、これらを組み合わせて行ってもよい。
【００７６】
（測定システムが実行する処理について）
次に、測定システム１００００が実行する処理の一例について説明する。図９は、測定システム１００００による処理の一例を示すシーケンス図である。図９に示すシーケンスは、例えばユーザが測定器具１００を装着した状態で開始されてよい。
【００７７】
まず、制御装置５００が、被検者による測定開始の操作入力を受け付ける（ステップＳ１０１）。
【００７８】
制御装置５００は、操作入力を受け付けると、測定器具１００に測定開始信号を送信する（ステップＳ１０２）。
【００７９】
測定器具１００は、測定開始信号に基づき、測定装置１０の測定部１５により、生体情報を測定する（ステップＳ１０３）。
【００８０】
測定器具１００は、測定部１５が測定した生体情報を、制御装置５００に送信する（ステップＳ１０４）。
【００８１】
制御装置５００は、測定器具１００から取得した生体情報に基づいて被検者の体温を測定する（ステップＳ１０５）。
【００８２】
制御装置５００は、測定した体温に関する情報（以下、体温情報ともいう）を、サーバ１０００に送信する（ステップＳ１０６）。
【００８３】
サーバ１０００は、制御装置５００から体温情報を受信すると、受信した体温情報を記憶部１００３に格納する（ステップＳ１０７）。
【００８４】
サーバ１０００は、制御装置５００から受信した体温情報を解析する（ステップＳ１０８）。体温情報の解析の詳細については後述する。
【００８５】
サーバ１０００は、解析結果の情報を、制御装置５００に送信する（ステップＳ１０９）。
【００８６】
制御装置５００は、受信した解析結果に基づき、解析結果に関する音信号を、測定器具１００に送信する（ステップＳ１１０）。
【００８７】
測定器具１００は、音出力部１６から、音信号に応じた音を出力する（ステップＳ１１１）。音の出力により、被検者は、解析結果を知ることができる。
【００８８】
なお、制御装置５００は、ステップＳ１１０において、音信号を送信せずに、解析結果に応じた報知を報知部１０５７から出力してもよい。
【００８９】
次に、図７に示されるサーバ１０００に格納されるデータについて図１０を参照して説明する。図１０は、図７に示されるサーバ１０００に格納されるデータの一例を示す構成図である。図１０に示される情報は、測定されることにより取得されたり、サーバ１０００がネットワーク２０００を介して取得されたり、ユーザにより入力されることにより取得される。
【００９０】
図１０（ａ）には、ユーザＩＤ３００１と、測定日時３００３とを主キーとしたデータ構造Ｄ１０が示されている。なお、図１０において、主キーには、黒丸を付している。各列には、各列の属性に対応した値のデータが少なくとも１以上格納されている。
【００９１】
ユーザＩＤ３００１は、ユーザに一意に対応する値である。測定日時３００３は、生体情報を測定した日付と時刻の値である。この測定日時は、一定の時間範囲、例えば、時間（例えば０：００から１：００等）、時間帯（例えば午前中等）、日付（例えば１月１日等）、月（例えば１月等）、月の範囲（例えば１月から３月等）、年（例えば２１００年等）等のように一定範囲の日時であってもよい。
【００９２】
体温３００５は、ユーザＩＤ３００１で識別されるユーザが、測定日時３００３に測定した体温の情報である。天気３００７は、測定日時３００３における天気の値である。温度３００９は、測定日時３００３における気温の情報である。
【００９３】
図１０（ｂ）には、ユーザＩＤ３００１を主キーとしたデータ構造Ｄ２０が示されている。年齢３０１１は、ユーザＩＤ３００１で識別されるユーザの年齢である。性別３０１３は、ユーザＩＤ３００１で識別されるユーザの性別である。
【００９４】
図１０（ｃ）には、測定日時３００３、天気３００７、温度３００９、年齢３０１１、性別３０１３を主キーとしたデータ構造Ｄ３０が示されている。平均体温３０１５は、測定日時３００３、天気３００７、温度３００９、年齢３０１１及び性別３０１３で識別されるユーザグループで測定された体温の平均値の値である。つまり、平均体温３０１５は、ユーザの属する集団の平均体温である。
【００９５】
図１０（ｄ）には、ユーザＩＤ３００１、測定日時３００３、天気３００７及び温度３００９を主キーとしたデータ構造Ｄ４０が示されている。個人平均体温３０１７は、ユーザＩＤ３００１、測定日時３００３、天気３００７及び温度３００９で識別される、特定のユーザの所定状況での測定された体温の平均値である。
【００９６】
次に、図７に示されるサーバ１０００による体温情報の解析処理の詳細について、図１１を参照して説明する。図１１は、図７に示されるサーバ１０００による生体情報の解析処理の一例を示すフローチャートである。すなわち、図１１は、図９のステップＳ１０８の具体的な処理の一例を示すフローチャートである。図１１に示される処理は、例えば図７に示されるプロセッサ１００２ａが、記憶部１００３に格納されたプログラムと協働することにより実現される。
【００９７】
サーバ１０００は、図９のステップＳ１０６で送信された体温情報を、ネットワーク２０００を介して制御装置５００から受信する。このとき、サーバ１０００は、制御装置５００から、ユーザのＩＤ、測定日時、天気、温度の情報をさらに取得してよい。
【００９８】
サーバ１０００は、取得した情報に基づき、ステップＳ１０７において、図１０（ａ）に示されるデータ構造Ｄ１０を作成し、記憶部に格納する。
【００９９】
サーバ１０００は、受信した体温情報が示す被検者の体温（以下、測定体温ともいう）が、図１０（ｃ）に示されるデータ構造Ｄ３０の平均体温より高いか否かを、データ構造Ｄ１０、データ構造Ｄ２０及びデータ構造Ｄ３０を参照して判定する（ステップＳ２０１）。
【０１００】
サーバ１０００は、測定体温が、図１０（ｃ）に示されるデータ構造Ｄ３０の平均体温未満である場合（ステップＳ２０１のＮｏ）、測定体温が、図１０（ｄ）に示されるデータ構造Ｄ４０の個人平均体温より高いか否かを、データ構造Ｄ１０データ構造Ｄ４０を参照して判定する（ステップＳ２０２）。
【０１０１】
サーバ１０００は、測定体温が、図１０（ｄ）に示されるデータ構造Ｄ４０の個人平均体温未満である場合（ステップＳ２０２のＮｏ）、測定された結果が正常であることを示す正常情報を作成する（ステップＳ２０３）。測定体温が個人平均体温未満である場合、測定体温が正常であると判定できるためである。作成された正常情報は、図９のステップＳ１０９において、解析結果として制御装置５００に送信される。
【０１０２】
一方、サーバ１０００は、ステップＳ２０２において、測定体温が図１０（ｄ）に示されるデータ構造Ｄ４０の個人平均体温より高い場合（ステップＳ２０２のＹｅｓ）、測定された結果が異常であることを示す異常情報を作成する（ステップＳ２０４）。測定体温が個人平均体温より高い場合、測定体温が異常であると判定できるためである。作成された異常情報は、図９のステップＳ１０９において、解析結果として制御装置５００に送信される。
【０１０３】
サーバ１０００は、ステップＳ２０１において、測定体温が、図１０（ｃ）に示されるデータ構造Ｄ３０の平均体温より高い場合（ステップＳ２０１のＹｅｓ）、測定された結果が異常であることを示す異常情報を作成する（ステップＳ２０４）。測定体温が平均体温より高い場合、測定体温が異常であると判定できるためである。作成された異常情報は、図９のステップＳ１０９において、解析結果として制御装置５００に送信される。
【０１０４】
サーバ１０００から上記の解析情報を受信した制御装置５００は、解析情報に含まれる正常情報若しくは異常情報に基づいて、解析結果に関する音信号を測定器具１００に送信し（ステップＳ１１０）、測定器具１００は、音信号に応じた音を出力する（ステップＳ１１１）。なお、測定器具１００は、音の他、光、画像若しくは振動その他の報知手段又はこれらの任意の組合せにより、解析結果を報知してもよい。
【０１０５】
本実施形態において、第１の開口部１７ａと、第２の開口部１７ｂと、点Ｐとが一直線上に配置されると説明したが、第１の開口部１７ａと、第２の開口部１７ｂと、点Ｐとは、必ずしも一直線上に配置されてなくてもよい。第１の開口部１７ａと第２の開口部１７ｂとは、基板１４において、ΔＤ＝Ｌ（ｎ＋１／２）が満たされる任意の位置に配置されていればよい。
【０１０６】
（第２実施形態）
図１２は、第２実施形態に係る測定装置２０の内部構造を示す概略図である。第２実施形態に係る測定装置２０について、第１実施形態と同じ点については説明を省略し、異なる点について説明する。第２実施形態において、第１実施形態と同じ機能部には、同じ符号を付す。
【０１０７】
本実施形態に係る測定装置２０は、ホルダ１１及び／又はイヤピース１２に、パイプ状のダクト２１を備える。ダクト２１は、基板１４に設けられた開口から金属管１３の第１端１３ａまでの、音出力部１６から出力された音の経路として機能する。図１２では、第１の開口部１７ａにのみダクト２１が接続されており、第２の開口部１７ｂにはダクト２１が接続されていない。
【０１０８】
本実施形態において、第１の経路は、音出力部１６から第１の開口部１７ａを介してダクト２１を通り、第１端１３ａに至る経路となる。本実施形態において、第２の経路は、第１実施形態と同様に、音出力部１６から第２の開口部１７ｂを経由して第１端１３ａに至る経路である。本実施形態において、第１の開口部１７ａと、第２の開口部１７ｂとは、基板１４において、点Ｐから等しい距離に設けられていてもよく、異なる距離に設けられていてもよい。
【０１０９】
本実施形態では、ΔＤ＝｜Ｄ１−Ｄ２｜＝Ｌ（ｎ＋１／２）が満たされるように、ダクト２１の長さが定められる。かかるダクト２１により、第１の経路の距離Ｄ１と第２の経路の距離Ｄ２との差ΔＤが生じるため、第１端１３ａには、図２の破線で示す目標音響特性を有する音が入力される。その結果、第２端１３ｂから、全周波数帯に亘って、周波数ごとの音圧差がより小さい特性の音が出力される。このようにして、本実施形態に係る測定装置２０においても、音響特性を向上させることができる。なお、本実施形態において、第１の開口部１７ａと第２の開口部１７ｂとが点Ｐから異なる距離に設けられている場合には、点Ｐから第１の開口部１７ａ及び第２の開口部１７ｂまでの距離の差も、ΔＤに反映されることに留意されたい。
【０１１０】
図１２に示す例では、第１の開口部１７ａにのみダクト２１が接続されており、第２の開口部１７ｂにはダクト２１が接続されていないが、本実施形態はこの態様に限られない。例えば、第１の開口部１７ａにダクト２１が接続されておらず、第２の開口部１７ｂにダクト２１が接続されていてもよい。また、第１の開口部１７ａ及び第２の開口部１７ｂに、それぞれ長さが異なるダクト２１が接続されていてもよい。これらの例においても、第１の経路の距離Ｄ１と第２の経路の距離Ｄ２との差ΔＤが、ΔＤ＝Ｌ（ｎ＋１／２）を満たすように、ダクト２１が設けられる。これにより、音響特性が向上しうる。
【０１１１】
（第３実施形態）
図１３は、第３実施形態に係る測定装置３０の内部構造を示す概略図である。第３実施形態に係る測定装置３０について、第１実施形態と同じ点については説明を省略し、異なる点について説明する。第３実施形態において、第１実施形態と同じ機能部には、同じ符号を付す。
【０１１２】
本実施形態に係る測定装置３０において、音出力部１６は、軸Ａと交差しない位置に設けられる。音出力部１６は、例えば上面視において、点Ｐから、第１の開口部１７ａまでの距離ｄ１及び第２の開口部１７ｂまでの距離ｄ２よりも離れた位置に設けられてよい。図５に示す例では、測定装置３０の上面視において、第１の開口部１７ａと、第２の開口部１７ｂと、点Ｐと、音出力部１６とは、一直線上に設けられる。音出力部１６は、開口部１７ａに対して、第２の開口部１７ｂの反対側に設けられる。
【０１１３】
この場合、図１３に示すように、第１の経路は、音出力部１６から、第１の開口部１７ａを経由して第１端１３ａに至る経路である。第２の経路は、音出力部１６から、基板１４の第２の面１４ｂ側を通って、第２の開口部１７ｂを経由して第１端１３ａに至る経路である。基板１４における第１の開口部１７ａ及び第２の開口部１７ｂの位置、並びに測定装置１０における音出力部１６の位置は、ΔＤ＝｜Ｄ１−Ｄ２｜＝Ｌ（ｎ＋１／２）が満たされるように、適宜定められる。第１の開口部１７ａ、第２の開口部１７ｂ及び音出力部１６のかかる配置により、第１端１３ａには、図２の破線で示す目標音響特性を有する音が入力される。その結果、第２端１３ｂから、全周波数帯に亘って、周波数ごとの音圧差がより小さい特性の音が出力される。このようにして、本実施形態に係る測定装置３０においても、音響特性を向上させることができる。
【０１１４】
図１４は、測定装置３０を備える測定器具１００の外観を示す概略図である。測定器具１００は、図１４に一例として示すようにヘッドバンド型のイヤホンとして構成されることができる。測定器具１００は、装着部１１０と、第１測定部１２０ａ及び第２測定部１２０ｂと、第１連結部１３０ａ及び第２連結部１３０ｂとを備える。測定器具１００は、例えば被検者の頭部に装着可能であってよい。
【０１１５】
装着部１１０は、被検者に対する測定器具１００の装着状態を維持するための機構である。本実施形態において、装着部１１０は、例えば図１に示すように、アーチ形状である。被検者は、装着部１１０で頭部を挟み込むことにより、測定器具１００を装着できる。装着部１１０は、例えば被検者の頭部の大きさに合わせて長さを調節可能な機構を有していてよい。装着部１１０は、例えばプラスチック等により構成されていてよい。
【０１１６】
第１測定部１２０ａ及び第２測定部１２０ｂは、装着部１１０の第１端１１０ａ及び第２端１１０ｂにおいて、それぞれ第１連結部１３０ａ及び第２連結部１３０ｂを介して、装着部１１０に連結される。すなわち、装着部１１０と、第１測定部１２０ａ及び第２測定部１２０ｂと、第１連結部１３０ａ及び第２連結部１３０ｂとは、全体として連結された１つの測定器具１００として構成されている。第１連結部１３０ａは、第１測定部１２０ａと装着部１１０の第１端１１０ａとを連結する部分に形成される。第２連結部１３０ｂは、第２測定部１２０ｂと装着部１１０の第２端１１０ｂとを連結する部分に形成される。
【０１１７】
第１測定部１２０ａ及び第２測定部１２０ｂは、図１３に示す測定装置３０を測定器具１００において実現したものである。すなわち、第１測定部１２０ａ及び第２測定部１２０ｂは、測定装置３０と同様の構造を有する。第１測定部１２０ａ及び第２測定部１２０ｂは、例えば左右対称に構成され、これらの機能は同じであってよい。本明細書において、第１測定部１２０ａ及び第２測定部１２０ｂを区別しない場合には、これらをまとめて、測定部１２０と記載する。
【０１１８】
第１測定部１２０ａは、イヤピース１２ａが被検者の右耳の耳甲介に挿入されて、右耳において体温を測定する。第２測定部１２０ｂは、イヤピース１２ｂが被検者の左耳の耳甲介に挿入されて、左耳において体温を測定する。
【０１１９】
図１５は、図１４の測定器具１００のＡ−Ａ断面図である。第１測定部１２０ａは、図１５に示すように、ホルダ１１とイヤピース１２ａとが結合されて外形が構成される。イヤピース１２ａは、挿入方向からみた中央部に、円柱形状の空間を備え、この空間に金属管１３が保持される。ホルダ１１は、内部に基板１４を備える。基板１４の第１の面１４ａ上で、軸Ａと交差する位置に、測定部１５が配置される。基板１４は、第１の開口部１７ａ及び第２の開口部１７ｂを有する。音出力部１６は、ホルダ１１内において、軸Ａと交差しない位置に配置される。基板１４における第１の開口部１７ａ及び第２の開口部１７ｂの位置、並びに測定装置１０における音出力部１６の位置は、ΔＤ＝｜Ｄ１−Ｄ２｜＝Ｌ（ｎ＋１／２）が満たされるように、適宜定められる。第２測定部１２０ｂの構造については、第１測定部１２０ａと対称に構成されてよいため、ここでは説明を省略する。
【０１２０】
測定器具１００は、上述の構成を有することにより、測定器具１００を装着する被検者の体温を正確に測定しやすくなるとともに、出力される音の音響特性を向上させることができる。
【０１２１】
図１５で説明した測定器具１００は、第１測定部１２０ａ及び第２測定部１２０ｂという２つの測定部を備えると説明した。しかしながら、測定器具１００は、例えば、測定部を１つのみ備えていてもよい。第１測定部１２０ａ及び第２測定部１２０ｂのうち、一方は、被検者の体温を測定するとともに音を出力する機能を有し、他方は、音を出力する機能のみを有していてもよい。また、測定器具１００は、第１測定部１２０ａ及び第２測定部１２０ｂという２つの測定部から取得した体温の値に基づいて、例えば２つの体温の値の平均値を算出する等して、被検者の体温を決定してもよい。
【０１２２】
図１５で説明した測定器具１００において、第１測定部１２０ａ及び第２測定部１２０ｂのうち、一方は本実施形態に係る測定装置３０として構成され、他方は体温以外の他の生体情報を測定する測定装置として構成されていてよい。例えば、当該他方は、被検者の耳において、被検者の血流を測定する血流測定装置として構成されていてよい。かかる血流測定装置は、例えば、被検者にレーザ光を照射し、当該レーザ光の反射光に基づいて血流を算出するものとすることができる。例えば、当該他方は、被検者の耳において、被検者の酸素飽和度を測定する酸素飽和度測定装置として構成されていてよい。かかる酸素飽和度装置は、例えば、被検者に可視光と赤外線光を照射し、被験者を透過する又は被検者から反射する可視光と赤外線光の強度の割合に基づいて酸素飽和度を算出するものとすることができる。
【０１２３】
（第４実施形態）
次に、第４実施形態について説明する。第４実施形態は、第１実施形態の測定システムにおいて、測定装置５００の代わりにスマートフォン３０００が用いられる場合の実施形態である。第４実施形態において、前述の第１実施形態と同様の部材については同じ符号を付し、その説明を省略する。
【０１２４】
図１６は、第４実施形態係る測定システム測定システム２００００の構成の一例を示す図である。図１６に示すように、第１実施形態に係る測定システム１００００と比較して、本実施形態に係る測定システム２００００は、制御装置５００の代わりにスマートフォン３０００が用いられる。スマートフォン３０００は、測定器具１００と、無線、有線、又は無線と有線との組合せにより、通信可能に接続されている。また、スマートフォン３０００は、ネットワーク２０００を介してサーバ１０００と、通信可能に接続されている。
【０１２５】
次に、図１６に示されるスマートフォン３０００が備える機能ブロックの一例について図１７を参照して説明する。スマートフォン３０００は、機能部として、制御部３０３１と、記憶部３０３２と、入力部３０３３と、表示部３０３４と、通信部３０３５とを備える。
【０１２６】
制御部３０３１は、スマートフォン３０００の各機能ブロックをはじめとして、スマートフォン３０００の全体を制御及び管理する少なくとも１つのプロセッサ３０３１ａを含む。制御部３０３１は、制御手順を規定したプログラムを実行するＣＰＵ等の少なくとも１つのプロセッサ３０３１ａを含んで構成され、その機能を実現する。このようなプログラムは、例えば記憶部３０３２、又はスマートフォン３０００に接続された外部の記憶媒体等に格納される。プロセッサ３０３１ａの具体的な構成として、プロセッサ１０５４ａの説明において列挙したものを使用できる。
【０１２７】
制御部３０３１は、第１実施形態の制御装置５００の制御部１０５４が実行する処理と同様の処理を実行してよい。
【０１２８】
記憶部３０３２は、半導体メモリ又は磁気メモリ等で構成されることができる。記憶部３０３２は、各種情報やスマートフォン３０００を動作させるためのプログラム等を記憶する。記憶部３０３２は、ワークメモリとしても機能してもよい。
【０１２９】
入力部３０３３は、スマートフォン３０００のユーザ（例えば被検者）からの操作入力を受け付けるものであり、例えば、操作ボタン（操作キー）から構成される。入力部３０３３をタッチスクリーンにより構成し、表示部３０３４である表示デバイスの一部にユーザからの操作入力を受け付ける入力領域を表示して、ユーザによるタッチ操作入力を受け付けてもよい。
【０１３０】
表示部３０３４は、例えば液晶ディスプレイ（ＬＣＤ：Liquid Crystal Display）、有機ＥＬディスプレイ（ＯＥＬＤ：Organic Electro-Luminescence Display）、又は無機ＥＬディスプレイ（ＩＥＬＤ：Inorganic Electro-Luminescence Display）等の周知のディスプレイにより構成される表示デバイスである。
【０１３１】
通信部３０３５は、測定器具１００及びサーバ１０００と通信を行うことにより、各種情報の送受信を行う。通信部３０３５は、無線、有線、又は無線と有線との組合せによるネットワークを用いて情報の送受信を行うことができる。
【０１３２】
次に、図１６に示されるスマートフォンの操作画面について図１８を参照して説明する。図１８は、図１６に示されるスマートフォン３０００の表示画面の概略図である。
【０１３３】
図１８に示されるように、スマートフォン３０００の表示部３０３４には、開始ボタン３０１０と、各種機能ボタン３０１２、３０１４及び３０１６と、停止ボタン３０２０とが表示される。スマートフォン３０００の表示部３０３４は、タッチパネルディスプレイであり、ユーザが指等で表示部３０３４に表示された画像をタッチすることによりその画像に対応した操作入力がなされる。被検者は、例えば開始ボタン３０１０を選択する操作入力を行うことにより、測定器具１００による生体情報の測定処理を開始させることができる。各種機能ボタン３０１２、３０１４及び３０１６には、例えば、それぞれ所定の処理を開始させる機能が設定されていてよい。
【０１３４】
本開示では、所定の処理を開始させる機能により、例えば、任意の時点で、バイタルデータを記憶する場合や、連続して記録している場合においてタグ付け（後でデータを見返す時の目印）したりすることが可能となる。本開示では、所定の処理を開始させる機能により、例えば、位置情報取得や、周囲の風景の記録も同時にしてもよい。例えば、所定の処理を開始させる機能により、ジョギングの場合、ジョギングコースの第１地点でタグ付け、ジョギングコースの第２地点でタグ付け、ジョギングコースの第３地点でタグ付けなどといった使い方が可能である。例えば、所定の処理を開始させる機能により、自転車で走る場合を仮定すると、サイクリングコースの第１地点でタグ付け、サイクリングコースの第２地点でタグ付け、サイクリングコースの第３地点でタグ付けなどといった使い方が可能である。
【０１３５】
次に、図１６の測定システム２００００による処理の一例について、図１９を参照して説明する。図１９は、測定システム２００００による処理の一例を示すシーケンス図である。図１９に示すシーケンスは、例えばユーザが測定器具１００を装着した状態で開始されてよい。
【０１３６】
まず、スマートフォン３０００が、被検者による測定開始の操作入力を受け付ける（ステップＳ３０１）。
【０１３７】
スマートフォン３０００は、操作入力を受け付けると、測定器具１００に測定開始信号を送信する（ステップＳ３０２）。
【０１３８】
測定器具１００は、測定開始信号に基づき、測定装置１０の測定部１５により、生体情報を測定する（ステップＳ３０３）。
【０１３９】
測定器具１００は、測定部１５が測定した生体情報を、スマートフォン３０００に送信する（ステップＳ３０４）。
【０１４０】
スマートフォン３０００は、測定器具１００から取得した生体情報に基づいて被検者の体温を測定する（ステップＳ３０５）。
【０１４１】
スマートフォン３０００は、測定した体温情報を、サーバ１０００に送信する（ステップＳ３０６）。
【０１４２】
サーバ１０００は、スマートフォン３０００から体温情報を受信すると、受信した体温情報を記憶部１００３に格納する（ステップＳ３０７）。
【０１４３】
サーバ１０００は、スマートフォン３０００から受信した体温情報を解析する（ステップＳ３０８）。
【０１４４】
サーバ１０００は、解析結果の情報を、スマートフォン３０００に送信する（ステップＳ３０９）。
【０１４５】
スマートフォン３０００は、受信した解析結果に基づき、解析結果に関する音信号を、測定器具１００に送信する（ステップＳ３１０）。
【０１４６】
測定器具１００は、音出力部１６から、音信号に応じた音を出力する（ステップＳ３１１）。音の出力により、被検者は、解析結果を知ることができる。
【０１４７】
なお、スマートフォン３０００は、ステップＳ３１０において、音信号を送信せずに、解析結果に応じた報知を出力してもよい。例えば、スマートフォン３０００は、表示部３０３４に解析結果を表示することにより、報知を行ってよい。
【０１４８】
また、例えば、スマートフォン３０００の制御部３０３１は、表示部３００４に、記憶部３０３２に格納される音楽情報のリストを表示させてよい。制御部３０３１は、ユーザが入力部３０３３を介して選択した表示リストの音楽を、測定器具１００から出力させてもよい。
【０１４９】
本開示の測定器具１００は、上記各実施形態に示された例に限定されない。測定器具１００については、例えば、イヤホンタイプ、イヤピースが片方の耳のみに装着されるタイプ等、さまざまな変形が可能である。
【０１５０】
本開示を完全かつ明瞭に開示するためにいくつかの実施形態に関し説明してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。また、いくつかの実施形態に示した各要件は、自由に組み合わせが可能である。
【０１５１】
例えば、上記実施形態では、基板１４が２つの開口部を有する場合について説明したが、基板１４が備える開口部の数は、必ずしも２つでなくてもよい。例えば、基板１４は３つ以上の開口部を有していてもよい。基板１４に設けられた３つ以上の開口部により、測定装置において、開口部の数に応じた経路が生じる。これらの開口部は、基板１４において、金属管１３の第１端１３ａに入力される音の音響特性が、目標音響特性となる位置に設けられる。
【０１５２】
上記第１実施形態では、第１の経路と第２の経路とが、基板１４に設けられた第１の開口部１７ａ及び第２の開口部１７ｂにより区分されることを説明した。しかしながら、第１の経路と第２の経路とは、必ずしも基板１４に設けられた第１の開口部１７ａ及び第２の開口部１７ｂにより区分されなくてもよい。例えば、音出力部１６から金属管１３の第１端１３ａに至る２つのダクトが設けられており、これら２つのダクトにより、それぞれ第１の経路と第２の経路とが区分されていてもよい。
【０１５３】
また、上記各実施形態において、制御装置５００やスマートフォン３０００に音楽データが格納され、測定装置５００又はスマートフォン３０００からの操作により、これら音楽が測定器具１００に送信され、測定器具１００から音情報として出力されてもよい。
【０１５４】
また、上記各実施形態では、例えば体温情報の解析がサーバ１０００により行われるとしたがこれに限定されるものではない。例えば、体温情報その他の生体情報は、測定器具の制御装置５００又はスマートフォン３０００により行われてもよい。
【符号の説明】
【０１５５】
１０、２０、３０  測定装置
１１  ホルダ
１２、１２ａ、１２ｂ  イヤピース
１３  金属管
１３ａ  第１端
１３ｂ  第２端
１４  基板
１４ａ  第１の面
１４ｂ  第２の面
１５、１０６７  測定部
１６  音出力部
１７ａ  第１の開口部
１７ｂ  第２の開口部
２１  ダクト
１００  測定器具
１１０  装着部
１１０ａ  第１端
１１０ｂ  第２端
１２０ａ  第１測定部
１２０ｂ  第２測定部
１３０ａ  第１連結部
１３０ｂ  第２連結部
５００  制御装置
１０００  サーバ
１００１、１０５６、３０３５  通信部
１００２、１０５４、３０３１  制御部
１００２ａ、１０５４ａ、３０３１ａ  プロセッサ
１００３、１０５５、３０３２  記憶部
１０１０  コード
１０５７  報知部
１０５８  駆動部
１０６５、３０３３  入力部
１０６６  電源部
２０００  ネットワーク
３０３４  表示部
１００００、２００００  測定システム
【図１】
0006987534.tif 000002
【図２】
0006987534.tif 000003
【図３】
0006987534.tif 000004
【図４】
0006987534.tif 000005
【図５】
0006987534.tif 000006
【図６】
0006987534.tif 000007
【図７】
0006987534.tif 000008
【図８】
0006987534.tif 000009
【図９】
0006987534.tif 000010
【図１０】
0006987534.tif 000011
【図１１】
0006987534.tif 000012
【図１２】
0006987534.tif 000013
【図１３】
0006987534.tif 000014
【図１４】
0006987534.tif 000015
【図１５】
0006987534.tif 000016
【図１６】
0006987534.tif 000017
【図１７】
0006987534.tif 000018
【図１８】
0006987534.tif 000019
【図１９】
0006987534.tif 000020